(57)【要約】【課題】ドアホン子器との通話に関する使い勝手を向上する。【解決手段】インターホンシステムにおいて、インターホン親機１は、携帯電話事業者の携帯電話網を介さずに無線通信する無線通信部３３を有する携帯電話端末３もしくは前記携帯電話網を介さずに無線通信する無線通信部４４を有する増設インターホン親機４に対して、インターホン親機１と携帯電話端末３もしくはインターホン親機１と増設インターホン親機４とをインタフェースする無線インタフェース手段１５を備え、インターホン親機１は、無線インタフェース手段１５を介し、携帯電話端末３または増設インターホン親機４からの呼出を受けることができる。【選択図】図１
2014112963.tif 000002
【特許請求の範囲】
【請求項１】
住戸の屋外に設置されるドアホン子器と、前記住戸の屋内に設置されるとともに信号線を介して前記ドアホン子器と接続されるインターホン親機とを備え、信号線を介して音声信号もしくは映像信号を授受することにより前記インターホン親機と前記ドアホン子器との間でインターホン通話が可能なインターホンシステムにおいて、
前記インターホン親機は、携帯電話事業者の携帯電話網を介さずに無線通信する無線通信部を有する携帯電話端末もしくは前記携帯電話網を介さずに無線通信する無線通信部を有する増設インターホン親機に対して、前記インターホン親機と前記携帯電話端末もしくは前記インターホン親機と前記増設インターホン親機とをインタフェースする無線インタフェース手段を備え、
前記インターホン親機は、前記無線インタフェース手段を介し、前記携帯電話端末または前記増設インターホン親機からの呼出を受けることができることを特徴とするインターホンシステム。
【請求項２】
集合住宅の住戸の屋外に設置されるドアホン子器と、前記住戸の屋内に設置されるとともに信号線を介して前記ドアホン子器と接続されるインターホン親機と、前記集合住宅の共用玄関に設置されるとともに各々制御線及び通信線を介して前記インターホン親機と接続されるロビーインターホン装置とを備えるインターホンシステムにおいて、
前記インターホン親機は、携帯電話事業者の携帯電話網を介さずに無線通信する無線通信部を有する携帯電話端末もしくは前記携帯電話網を介さずに無線通信する無線通信部を有する増設インターホン親機に対して、前記インターホン親機と前記携帯電話端末もしくは前記インターホン親機と前記増設インターホン親機とをインタフェースする無線インタフェース手段を備え、
前記インターホン親機は、前記無線インタフェース手段を介し、前記携帯電話端末または前記増設インターホン親機からの呼出を受けることができることを特徴とするインターホンシステム。
【請求項３】
前記インターホン親機は、前記無線インタフェース手段を介し、前記携帯電話端末または前記増設インターホン親機との間で内線通話が可能であることを特徴とする請求項１または２に記載のインターホンシステム。
【請求項４】
住戸の屋内に設置され、前記住戸の屋外に設置されるドアホン子器と信号線を介して音声信号もしくは映像信号を授受することによりインターホン通話が可能なインターホン親機であって、携帯電話事業者の携帯電話網を介さずに無線通信する無線通信部を有する携帯電話端末もしくは前記携帯電話網を介さずに無線通信する無線通信部を有する増設インターホン親機に対して、前記インターホン親機と前記携帯電話端末もしくは前記インターホン親機と前記増設インターホン親機とをインタフェースする無線インタフェース手段を有し、前記無線インタフェース手段を介し、前記携帯電話端末または前記増設インターホン親機からの呼出を受けることができることを特徴とするインターホン親機。
【発明の詳細な説明】
【技術分野】
【０００１】
本発明は、インターホンシステムおよびインターホン親機に関するものである。
【背景技術】
【０００２】
従来より、住戸の屋外に設置されるドアホン子器と、住戸の屋内に設置されるとともに信号線を介してドアホン子器と接続されるインターホン親機とを備え、信号線を介して音声信号を授受することによりインターホン親機とドアホン子器との間でインターホン通話が可能なインターホンシステムが種々提供されている。ここで、インターホン親機だけでなく、加入者電話回線に接続された一般の電話機でもドアホン子器との通話を可能としたインターホンシステムが既に提供されている（特許文献１参照）。
【０００３】
また、現在では一般の電話機にもワイヤレス子機を備えたものが広く普及しており、インターホン親機を介したドアホン子器との通話と電話機を介した外線通話の双方が可能なワイヤレス子機を備えたインターホンシステムも提供されている。
【先行技術文献】
【特許文献】
【０００４】
【特許文献１】特開平５−３５７９号公報
【発明の概要】
【発明が解決しようとする課題】
【０００５】
ところで、近年では携帯電話の契約数が加入者電話回線の契約数を追い越し、加入者電話回線を契約せずに携帯電話で自宅からの外線通話を行う家庭が増加してきている。すなわち、加入者電話回線に契約していない家庭では、一般の電話機並びにワイヤレス子機を使ってドアホン子器と通話することができず、使い勝手が悪いものであった。
【０００６】
本発明は上記事情に鑑みて為されたものであり、その目的は、ドアホン子器との通話に関する使い勝手を向上したインターホンシステムを提供することにある。
【課題を解決するための手段】
【０００７】
本発明に係るインターホンシステムは、住戸の屋外に設置されるドアホン子器と、前記住戸の屋内に設置されるとともに信号線を介して前記ドアホン子器と接続されるインターホン親機とを備え、信号線を介して音声信号もしくは映像信号を授受することにより前記インターホン親機と前記ドアホン子器との間でインターホン通話が可能なインターホンシステムにおいて、前記インターホン親機は、携帯電話事業者の携帯電話網を介さずに無線通信する無線通信部を有する携帯電話端末もしくは前記携帯電話網を介さずに無線通信する無線通信部を有する増設インターホン親機に対して、前記インターホン親機と前記携帯電話端末もしくは前記インターホン親機と前記増設インターホン親機とをインタフェースする無線インタフェース手段を備え、前記インターホン親機は、前記無線インタフェース手段を介し、前記携帯電話端末または前記増設インターホン親機からの呼出を受けることができることを特徴とする。
【０００８】
また、本発明に係るインターホンシステムは、集合住宅の住戸の屋外に設置されるドアホン子器と、前記住戸の屋内に設置されるとともに信号線を介して前記ドアホン子器と接続されるインターホン親機と、前記集合住宅の共用玄関に設置されるとともに各々制御線及び通信線を介して前記インターホン親機と接続されるロビーインターホン装置とを備えるインターホンシステムにおいて、前記インターホン親機は、携帯電話事業者の携帯電話網を介さずに無線通信する無線通信部を有する携帯電話端末もしくは前記携帯電話網を介さずに無線通信する無線通信部を有する増設インターホン親機に対して、前記インターホン親機と前記携帯電話端末もしくは前記インターホン親機と前記増設インターホン親機とをインタフェースする無線インタフェース手段を備え、前記インターホン親機は、前記無線インタフェース手段を介し、前記携帯電話端末または前記増設インターホン親機からの呼出を受けることができることを特徴とする。
【０００９】
また、本発明に係るインターホンシステムは、前記インターホン親機は、前記無線インタフェース手段を介し、前記携帯電話端末または前記増設インターホン親機との間で内線通話が可能であることが好ましい。
【００１０】
また、本発明に係るインターホン親機は、住戸の屋内に設置され、前記住戸の屋外に設置されるドアホン子器と信号線を介して音声信号もしくは映像信号を授受することによりインターホン通話が可能なインターホン親機であって、携帯電話事業者の携帯電話網を介さずに無線通信する無線通信部を有する携帯電話端末もしくは前記携帯電話網を介さずに無線通信する無線通信部を有する増設インターホン親機に対して、前記インターホン親機と前記携帯電話端末もしくは前記インターホン親機と前記増設インターホン親機とをインタフェースする無線インタフェース手段を有し、前記無線インタフェース手段を介し、前記携帯電話端末または前記増設インターホン親機からの呼出を受けることができることを特徴とする。
【発明の効果】
【００１１】
本発明のインターホンシステムは、加入者電話回線に契約していなくても、インターホン親機だけでなく携帯電話端末を使ってドアホン子器と通話ができるから使い勝手が向上する。しかも、携帯電話端末によるドアホン子器との通話においては携帯電話事業者の携帯電話網を介さずに通話できるから、通話に要するコストを大幅に低減することが可能であり、その結果、ドアホン子器との通話に関する使い勝手を向上することができるという効果がある。
【図面の簡単な説明】
【００１２】
【図１】本発明の実施形態１を示すシステム構成図
【図２】同上においてドアホン子器と携帯電話端末の通話に関する動作を説明するためのシーケンス図
【図３】同上において携帯電話端末と増設インターホン親機の内線通話に関する動作を説明するためのシーケンス図
【図４】本発明の実施形態２を示すシステム構成図
【図５】本発明の実施形態３を示すシステム構成図
【発明を実施するための形態】
【００１３】
（実施形態１）
本実施形態は戸建て住宅向けのインターホンシステムに本発明の技術思想を適用したものであって、図１に示すように住戸の屋外（玄関）に設置されるドアホン子器２と、住戸の屋内に設置されるとともに信号線Ｌｓを介してドアホン子器２と接続されるインターホン親機（以下、「インターホン親機」と略す。）１とを備えている。また、本実施形態におけるインターホン親機１は、後述する無線インタフェース手段を介して携帯電話端末３と無線通信することが可能である。
【００１４】
携帯電話端末３は、例えばＷ−ＣＤＭＡ(Ｗｉｄｅｂａｎｄ  Ｃｏｄｅ  Ｄｉｖｉｓｉ
ｏｎ  Ｍｕｌｔｉｐｌｅ  Ａｃｃｅｓｓ)方式の第３世代携帯電話端末であって、マイクロホン３０並びにスピーカ３１と、携帯電話事業者の基地局と無線通信するための第１無線部３２と、無線ＬＡＮに関する規格（例えば、ＩＥＥＥ  ８０２．１１諸規格）に準拠した無線通信を行うための第２無線部３３と、液晶表示器などの表示デバイスを有するモニタ部３４と、テンキー等の操作釦を具備して操作入力を受け付ける操作入力受付部３５と、ＣＰＵを主構成要素とし各部の制御を行う端末制御部３６とを具備する。第１無線部３２により携帯電話事業者の携帯電話網を介して通話する携帯電話機能、並びに第２無線部３３により携帯電話網を介さずに無線通信する無線通信機能（無線ＬＡＮ機能）を有している。但し、携帯電話端末３の携帯電話機能並びにＩＥＥＥ８０２．１１諸規格に準拠した無線ＬＡＮ機能については従来周知であるから詳細な説明を省略する。
【００１５】
ドアホン子器２は、マイクロホン２０並びにスピーカ２１と、音声信号の２線４線変換処理や呼出釦（図示せず）の操作に伴う呼出信号の伝送処理を行う通話処理部２２と、来訪者を撮像する撮像部２３と、撮像部２３から出力する映像信号を変調して通話処理部２２から出力する音声信号と周波数分割多重するとともに信号線Ｌｓを介してインターホン親機１から伝送されてくる音声信号を分離する多重分離処理部２４とを具備している。但し、かかるドアホン子器２の構成は従来周知であるから、詳細な説明は省略する。
【００１６】
インターホン親機１は、信号線Ｌｓを介してドアホン子器２より周波数分割多重伝送される映像信号と音声信号を分離するとともにドアホン子器２に対して信号線Ｌｓを介して音声信号を伝送する多重分離処理部１０と、液晶表示器やＣＲＴなどの表示デバイスを有する。さらに多重分離処理部１０で分離された映像信号を復調して表示するモニタ部１１と、マイクロホン並びにスピーカ、マイクロホンの出力を増幅するマイクロホンアンプ、スピーカへの入力を増幅するスピーカアンプを有する音声入出力部１２と、応答釦（図示せず）等の操作釦を具備して操作入力を受け付ける操作入力受付部１３と、ＣＰＵを主構成要素とし各部の制御を行うインターホン親機制御部１４とを有する。さらにインターホン親機１（インターホン親機制御部１４）と携帯電話端末３の無線通信機能とをインタフェースする無線インタフェース（Ｉ／Ｆ）部１５とを具備している。なお、無線インタフェース（Ｉ／Ｆ）部 １５は、携帯電話端末３の第２無線部３３と同様に無線ＬＡＮに関
する規格（例えば、ＩＥＥＥ  ８０２．１１諸規格）に準拠した無線通信を行うものである。
【００１７】
また本実施形態は、携帯電話端末３と同様にインターホン親機１との間で無線通信する機能を有した通話装置（以下、「増設インターホン親機」と呼ぶ。）４を備えている。この増設インターホン親機４は、液晶表示器やＣＲＴなどの表示デバイスを有するモニタ部４０と、マイクロホン並びにスピーカ、マイクロホンの出力を増幅するマイクロホンアンプ、スピーカへの入力を増幅するスピーカアンプを有する音声入出力部４１と、応答釦（図示せず）等の操作釦を具備して操作入力を受け付ける操作入力受付部４２とを有する。さらにＣＰＵを主構成要素とし各部の制御を行う増設インターホン親機制御部４３と、無線ＬＡＮに関する規格（例えば、ＩＥＥＥ  ８０２．１１諸規格）に準拠した無線通信を行うための無線通信部４４とを具備している。ここで、インターホン親機１、携帯電話端末３、増設インターホン親機４には各々固有のＩＰアドレス（プライベートアドレス）が割り当てられ、ＩＰアドレスによって互いが認識可能となっている。但し、規格（例えば、ＩＥＥＥ  ８０２．１１諸規格）に準拠した無線通信の詳細については周知であるから説明を省略する。また、インターホン親機１の音声入出力部１２並びに増設インターホン親機４の音声入出力部４１が、各々エコーキャンセラ若しくは音声スイッチの少なくとも何れか一方を具備すれば、インターホン親機１並びに増設インターホン親機４で拡声通話（ハンズフリー通話）を行うことができる。
【００１８】
次に本実施形態の動作を説明する。まず、ドアホン子器２とインターホン親機１との間で通話するインターホンシステムの基本動作について簡単に説明する。
【００１９】
来訪者がドアホン子器２の呼出釦（図示せず）を押操作すると信号線Ｌｓを介してインターホン親機１に呼出信号が伝送され、インターホン親機１においてはインターホン親機制御部１４により音声入出力部１２のスピーカから呼出音を鳴動させるとともに信号線Ｌｓを介して電源を供給することでドアホン子器２の撮像部２３を起動し、撮像部２３で撮像された映像（動画）をモニタ部１１に表示させる。そして、モニタ部１１に表示された映像で来訪者を確認した家人がインターホン親機１の操作入力受付部１３に設けられた応答釦（図示せず）を押操作すれば、インターホン親機制御部１４によりドアホン子器２との間に信号線Ｌｓを介した通話路が形成されてインターホン親機１とドアホン子器２との間において通話が可能になる。それとともに通話中においてはインターホン親機１のモニタ部１１にドアホン子器２から伝送される映像を表示させることが可能になる。但し、インターホン親機１とドアホン子器２との間の通話並びに映像伝送は、応答釦が押操作されてから所定時間が経過するか若しくは再度応答釦が押操作されたときに終了する。
【００２０】
続いて、図２のシーケンス図を参照しながら本発明の要旨であるドアホン子器２と携帯電話端末３との通話に関する動作を説明する。
【００２１】
呼出釦が押操作されてドアホン子器２から信号線Ｌｓを介して呼出信号が送信されると、インターホン親機１のインターホン親機制御部１４が無線インタフェース（Ｉ／Ｆ）部１５より携帯電話端末３に対して呼出通知を行うとともに音声入出力部１２のスピーカから呼出音を鳴動させる。携帯電話端末３では、インターホン親機１から送信された呼出通知を第２無線部３３で受信すると端末制御部３６がスピーカ３１から呼出音を鳴動させる。そして、呼出音を聞いた家人が携帯電話端末３の操作入力受付部３５に設けられた応答釦（図示せず）を押操作すれば、端末制御部３６が第２無線部３３よりインターホン親機１に対して応答通知を行う。インターホン親機１では、携帯電話端末３から送信された応答通知を無線インタフェース（Ｉ／Ｆ）部 １５で受信すると、インターホン親機制御部１４がドアホン子器２との間に信号線Ｌｓを介した通話路を形成するとともに無線インタフェース（Ｉ／Ｆ）部 １５より携帯電話端末３に対して通話許可通知を行い、さらに音声入出力部１２のスピーカから鳴動させていた呼出音を停止する。携帯電話端末３では、インターホン親機１から送信された通話許可通知を第２無線部３３で受信すると端末制御部３６がスピーカ３１から鳴動させていた呼出音を停止する。そして、ドアホン子器２からインターホン親機１に伝送された映像と音声（送話音声）がインターホン親機制御部１４で各々映像データと音声データに変換されて無線インタフェース（Ｉ／Ｆ）部 １５より携帯電話端末３へ送信される。携帯電話端末３においては、インターホン親機１から送信された映像データと音声データを第２無線部３３で受信すると端末制御部３６が映像データから元の映像を再構成してモニタ部３４に表示させるとともに音声データをアナログの音声信号に変換してスピーカ３１から音声（受話音声）を鳴動させる。また、マイクロホン３０から入力した音声（送話音声）が端末制御部３６で音声データに変換されて第２無線部３３よりインターホン親機１へ送信される。インターホン親機１においては、携帯電話端末３から送信された音声データを無線インタフェース（Ｉ／Ｆ）部 １５で受信するとインターホン親機制御部１４が音声データをアナログの音声信号に変換して多重分離処理部１０よりドアホン子器２に送信し、ドアホン子器２のスピーカ２１から音声（受話音声）が鳴動されてドアホン子器２と携帯電話端末３との間で通話が可能となる。但し、インターホン親機１を介した携帯電話端末３とドアホン子器２との間の通話並びに映像伝送は、携帯電話端末３で応答釦が押操作されてから所定時間が経過するか若しくは再度応答釦が押操作されたときに終了する。
【００２２】
また、増設インターホン親機４が設置されている場合、インターホン親機１から送信された呼出通知を増設インターホン親機４の無線通信部４４で受信すると増設インターホン親機制御部４３が音声入出力部４１のスピーカから呼出音を鳴動させる。そして、呼出音を聞いた家人が増設インターホン親機４の操作入力受付部４２に設けられた応答釦（図示せず）を押操作すれば、増設インターホン親機制御部４３が無線通信部４４よりインターホン親機１に対して応答通知を行う。インターホン親機１では、増設インターホン親機４から送信された応答通知を無線インタフェース（Ｉ／Ｆ）部 １５で受信すると、インターホン親機制御部１４がドアホン子器２との間に信号線Ｌｓを介した通話路を形成するとともに無線インタフェース（Ｉ／Ｆ）部 １５より増設インターホン親機４に対して通話許可通知を行い、さらに音声入出力部１２のスピーカから鳴動させていた呼出音を停止する。増設インターホン親機４では、インターホン親機１から送信された通話許可通知を無線通信部４４で受信すると増設インターホン親機制御部４３が音声入出力部４１のスピーカから鳴動させていた呼出音を停止する。そして、ドアホン子器２からインターホン親機１に伝送された映像と音声（送話音声）がインターホン親機制御部１４で各々映像データと音声データに変換されて無線インタフェース（Ｉ／Ｆ）部１５より増設インターホン親機４へ送信される。増設親機４においては、インターホン親機１から送信された映像データと音声データを無線通信部４４で受信すると増設インターホン親機制御部４３が映像データから元の映像を再構成してモニタ部４０に表示させるとともに音声データをアナログの音声信号に変換して音声入出力部４１のスピーカから音声（受話音声）を鳴動させる。また、音声入出力部４１のマイクロホンから入力した音声（送話音声）が増設インターホン親機制御部４３で音声データに変換されて無線通信部４４よりインターホン親機１へ送信される。インターホン親機１においては、増設インターホン親機４から送信された音声データを無線インタフェース（Ｉ／Ｆ）部 １５で受信するとインターホン親機制御部１４が音声データをアナログの音声信号に変換して多重分離処理部１０よりドアホン子器２に送信し、ドアホン子器２のスピーカ２１から音声（受話音声）が鳴動されてドアホン子器２と増設インターホン親機４との間で通話が可能となる。
【００２３】
上述のように本実施形態によれば、加入者電話回線に契約していなくても、インターホン親機１だけでなく携帯電話端末３を使ってドアホン子器２と通話ができるから使い勝手が向上し、しかも、携帯電話端末３によるドアホン子器２との通話においては携帯電話事業者の携帯電話網を介さずに通話できるから、通話に要するコストを大幅に低減することが可能である。また、音声だけでなくドアホン子器２の撮像部２３で撮像された映像もインターホン親機１から携帯電話端末３に中継され、携帯電話端末３のモニタ部３４にドアホン子器２から受け取った映像を表示することができるから、携帯電話端末３を使って来訪者の映像を視認しながら通話することができる。さらに、増設インターホン親機４でも携帯電話端末３と同様にドアホン子器２と通話可能であり、携帯電話端末３と比較してモニタ部４０の画面サイズが大きいために映像が見やすく且つ拡声通話（ハンズフリー通話）ができるという利点がある。しかも、無線インタフェース（Ｉ／Ｆ）部 １５がインターホン親機１に内蔵されているので、無線インタフェース手段の設置スペースが不要である。
【００２４】
ところで、本実施形態においては携帯電話端末３並びに増設インターホン親機４とインターホン親機１との内線通話や携帯電話端末３と増設インターホン親機４との内線通話も可能となっており、以下、図３のシーケンス図を参照しながら携帯電話端末３と増設インターホン親機４との内線通話に関する動作について説明する。
【００２５】
まず、増設インターホン親機４の操作入力受付部４２に設けられた内線呼出釦（図示せず）が押操作されると、増設インターホン親機制御部４３が無線通信部４４よりインターホン親機１に対して内線通話要求を行う。インターホン親機１では、増設インターホン親機４から送信された内線通話要求を無線インタフェース（Ｉ／Ｆ）部 １５で受信すると、インターホン親機制御部１４が無線インタフェース（Ｉ／Ｆ）部 １５より携帯電話端末３に対して内線呼出通知を行う。携帯電話端末３では、インターホン親機１から送信された内線呼出通知を第２無線部３３で受信すると端末制御部３６がスピーカ３１から呼出音（内線呼出音）を鳴動させる。そして、呼出音を聞いた家人が携帯電話端末３の操作入力受付部３５に設けられた応答釦（図示せず）を押操作すれば、端末制御部３６が第２無線部３３よりインターホン親機１に対して内線通話応答通知を行う。インターホン親機１では、携帯電話端末３から送信された内線通話応答通知を無線インタフェース（Ｉ／Ｆ）部 １５で受信すると、インターホン親機制御部１４が無線インタフェース（Ｉ／Ｆ）部 １５より増設インターホン親機４並びに携帯電話端末３に対して内線通話許可通知を行う。増設インターホン親機４では、インターホン親機１から送信された内線通話許可通知を無線通信部４４で受信すると増設インターホン親機制御部４３が音声入出力部４１のスピーカから鳴動させていた呼出音を停止して内線通話状態に移行する。同様に携帯電話端末３では、インターホン親機１から送信された内線通話許可通知を第２無線部３３で受信すると端末制御部３６がスピーカ３１から鳴動させていた呼出音を停止して内線通話状態に移行する。そして、増設インターホン親機４において、音声入出力部４１から入力された音声が増設インターホン親機制御部４３で音声データに変換されて無線通信部４４よりインターホン親機１へ送信される。インターホン親機１においては、携帯電話端末３から送信された音声データを無線インタフェース（Ｉ／Ｆ）部 １５で受信するとインターホン親機制御部１４が当該音声データを無線インタフェース（Ｉ／Ｆ）部 １５より携帯電話端末３へ転送する。携帯電話端末３においては、インターホン親機１から送信された音声データを第２無線部３３で受信すると端末制御部３６が音声データをアナログの音声信号に変換してスピーカ３１から音声（受話音声）を鳴動させる。また、マイクロホン３０から入力した音声（送話音声）が端末制御部３６で音声データに変換されて第２無線部３３よりインターホン親機１へ送信され、インターホン親機１においては、携帯電話端末３から送信された音声データを無線インタフェース（Ｉ／Ｆ）部 １５より増設インターホン親機４へ転送する。増設インターホン親機４においては、インターホン親機１から送信された音声データを無線通信部４４で受信すると増設インターホン親機制御部４３が音声データをアナログの音声信号に変換して音声入出力部４１のスピーカから音声（受話音声）を鳴動させる。このようにして増設インターホン親機４と携帯電話端末３との間で内線通話が可能となる。なお、携帯電話端末３から増設インターホン親機４を内線呼出する場合の動作も基本的に共��であるから説明を省略する。
【００２６】
（実施形態２）
本実施形態は、図４に示すように無線インタフェース手段に相当する無線通信装置５がインターホン親機１と別体に構成されている点に特徴がある。但し、本実施形態の基本構成は実施形態１と共通であるから、共通の構成要素には同一の符号を付して図示並びに説明は適宜省略する。
【００２７】
無線通信装置５は、インターホン親機１で分岐された信号線Ｌｓを介してドアホン子器２より周波数分割多重伝送される映像信号と音声信号を分離するとともにドアホン子器２に対して信号線Ｌｓを介して音声信号を伝送する多重分離処理部５０と、無線ＬＡＮに関する規格（例えば、ＩＥＥＥ  ８０２．１１諸規格）に準拠した無線通信を行うための無線通信部５１と、インターネットを介してセンタ装置６（後述する）と通信するネットワーク通信部５２と、ＣＰＵを主構成要素とし各部の制御を行う制御部５３とを具備している。
【００２８】
センタ装置６は、ドアホン子器２から信号線Ｌｓを介して伝送される映像を無線通信装置５に送信させ、無線通信装置５を経由して受け取った映像を保存するとともに保存した映像をインターネットを介して携帯電話端末３に送信する機能（映像管理機能）と、ＳＩＰサーバ機能とを有するものである。ＳＩＰ（Ｓｅｓｓｉｏｎ  Ｉｎｉｔｉａｔｉｏｎ  Ｐｒｏｔｏｃｏｌ）とは、アプリケーション層で２つ以上の相手に対して音声や映像、テキストメッセージの交換などを行うために必要なセッションの生成，変更，切断を行うプロトコルであって、ＩＥＴＦ（Ｉｎｔｅｒｎｅｔ  Ｅｎｇｉｎｅｅｒｉｎｇ  Ｔａｓｋ  Ｆｏｒｃｅ）で標準化され、ＲＦＣ３２６１において規定されている。すなわち、センタ装置６のＳＩＰサーバ機能を利用すれば、携帯電話事業者のＳＩＰサーバ（図４では図示せず）を介して携帯電話端末３と無線通信装置５とがパケット交換によって音声データを送受信できるから、無線インタフェース（Ｉ／Ｆ）部 ５１の通信エリア外に存在する携帯電話端末３とドアホン子器２との間で通話（半二重通話）が可能となる。なお、携帯電話端末３でパケット交換により音声データを送受信する技術は「Ｐｕｓｈ−ｔｏ−Ｔａｌｋ（商標）」と呼ばれ、国内においても既にサービス提供が始まっている。但し、かかるセンタ装置６はネットワーク通信機能を有した汎用のコンピュータ装置で構成可能であるから、詳細な構成についての説明は省略する。
【００２９】
次に、無線通信装置５の無線通信エリア内におけるドアホン子器２と携帯電話端末３との通話に関する動作を説明する。
【００３０】
呼出釦が押操作されてドアホン子器２から信号線Ｌｓを介して呼出信号が送信されると、無線通信装置５の制御部５３が無線インタフェース（Ｉ／Ｆ）部 ５１より携帯電話端末３に対して呼出通知を行う。携帯電話端末３では、無線通信装置５から送信された呼出通知を第２無線部３３で受信すると端末制御部３６がスピーカ３１から呼出音を鳴動させる。そして、呼出音を聞いた家人が携帯電話端末３の操作入力受付部３５に設けられた応答釦を押操作すれば、端末制御部３６が第２無線部３３より無線通信装置５に対して応答通知を行う。無線通信装置５では、携帯電話端末３から送信された応答通知を無線インタフェース（Ｉ／Ｆ）部 ５１で受信すると当該応答通知を制御部５３がインターホン親機１のインターホン親機制御部１４に伝送する。インターホン親機制御部１４は、無線通信装置５から応答通知を受け取るとドアホン子器２との間に信号線Ｌｓを介した通話路を形成するとともに無線通信装置５に対して通話許可通知を行い、さらに音声入出力部１２のスピーカから鳴動させていた呼出音を停止する。無線通信装置５では、インターホン親機１から受け取った通話許可通知を無線インタフェース（Ｉ／Ｆ）部 ５１より携帯電話端末３に送信する。携帯電話端末３では、無線通信装置５から送信された通話許可通知を第２無線部３３で受信すると端末制御部３６がスピーカ３１から鳴動させていた呼出音を停止する。そして、ドアホン子器２から伝送された映像と音声（送話音声）が無線通信装置５の制御部５３で各々映像データと音声データに変換されて無線インタフェース（Ｉ／Ｆ）部 ５１より携帯電話端末３へ送信される。携帯電話端末３においては、無線通信装置５から送信された映像データと音声データを第２無線部３３で受信すると端末制御部３６が映像データから元の映像を再構成してモニタ部３４に表示させるとともに音声データをアナログの音声信号に変換してスピーカ３１から音声（受話音声）を鳴動させる。また、マイクロホン３０から入力した音声（送話音声）が端末制御部３６で音声データに変換されて第２無線部３３より無線通信装置５へ送信される。無線通信装置５においては、携帯電話端末３から送信された音声データを無線インタフェース（Ｉ／Ｆ）部 ５１で受信すると制御部５３が音声データをアナログの音声信号に変換して多重分離処理部５０よりドアホン子器２に送信し、ドアホン子器２のスピーカ２１から音声（受話音声）が鳴動されてドアホン子器２と携帯電話端末３との間で通話が可能となる。但し、インターホン親機１並びに無線通信装置５を介した携帯電話端末３とドアホン子器２との間の通話並びに映像伝送は、携帯電話端末３で応答釦が押操作されてから所定時間が経過するか若しくは再度応答釦が押操作されたときに終了する。
【００３１】
次に、無線通信装置５の無線通信エリア外におけるドアホン子器２と携帯電話端末３との通話に関する動作を説明する。
【００３２】
インターホン親機１のインターホン親機制御部１４が留守モードに設定されている場合、呼出釦が押操作されてドアホン子器２から信号線Ｌｓを介して呼出信号が送信されると、無線通信装置５の制御部５３がネットワーク通信部５２よりセンタ装置６に対して携帯電話端末３への呼出要求を行う。そして、ＳＩＰサーバたるセンタ装置６と携帯電話事業者のＳＩＰサーバを介してドアホン子器２と携帯電話端末３との間でセッションが確立され、パケット交換によって音声データが送受信できるようになり、その結果、ドアホン子器２と携帯電話端末３との間で通話が可能となる。但し、ＳＩＰによるセッションの確立及び切断の手順は周知であるから詳細な説明は省略する。なお、音声データだけでなく映像データもパケット交換によって送受信可能であるから、携帯電話端末３で来訪者の映像を視認しながらドアホン子器２と通話することもできる。
【００３３】
上述のように本実施形態によれば、インターネットを介して携帯電話端末３とドアホン子器２との間で音声が授受できるから、外出先においても携帯電話端末３を使って来訪者と通話することができ、しかも、通常の回線交換ではなくパケット交換によって音声データを送受信するから、回線交換用の携帯電話網を介さないことで通話に要するコスト（携帯電話事業者に支払う料金）を抑えることができる。なお、本実施形態ではネットワーク通信部５２と無線インタフェース（Ｉ／Ｆ）部 ５１の双方を無線通信装置５に具備しているが、ネットワーク通信部５２のみを具備する通信装置と、無線インタフェース（Ｉ／Ｆ）部 を具備する無線装置とに分割するとともに通信装置を介して無線装置をインターホン親機１に接続する構成としても構わない。
【００３４】
（実施形態３）
本実施形態は集合住宅向けのインターホンシステムに本発明の技術思想を適用したものであって、図５に示すように集合住宅の各住戸の屋外（玄関）に設置されるドアホン子器２と、集合住宅の各住戸の屋内に設置されるとともに信号線Ｌｓを介してドアホン子器２と接続されるインターホン親機１と、集合住宅の共用玄関（ロビー）に設置される。それとともに各々通信線Ｌｘ並びに制御線Ｌｙを介して各住戸のインターホン親機１と接続されるロビーインターホン装置７とを備えている。但し、本実施形態におけるインターホン親機１の基本構成は実施形態１と共通であり、また、ドアホン子器２と携帯電話端末３は実施形態と共通であるから、共通の構成要素には同一の符号を付して図示並びに説明を適宜省略する。
【００３５】
各住戸に設置されるインターホン親機１は、信号線Ｌｓを介してドアホン子器２に接続する多重分離処理部１０、モニタ部１１、音声入出力部１２、操作入力受付部１３、インターホン親機制御部１４、無線インタフェース（Ｉ／Ｆ）部１５に加えて、通信線Ｌｘを介してロビーインターホン装置７より周波数分割多重伝送される映像信号と音声信号を分離する。それとともにロビーインターホン装置７に対して通信線Ｌｘを介して音声信号を伝送する多重分離処理部１６と、制御線Ｌｙを介してロビーインターホン装置７との間で制御信号を送受信する制御信号送受信部１７とを具備している。ここで、通信線Ｌｘと制御線Ｌｙは複数対のペア線をシース内に備える多対ツイストペアケーブルからなり、ロビーインターホン装置７に接続された通信線Ｌｘと制御線Ｌｙ（これを幹線Ｌ１と呼ぶ。）からそれぞれ分岐された通信線Ｌｘと制御線Ｌｙ（これを住戸別線Ｌ２と呼ぶ。）に各住戸のインターホン親機１が接続されている。但し、インターホン親機１においては、住戸別線Ｌ２のうちの制御線Ｌｙとは常時接続されているが、通信線Ｌｘとは常時は接続されずにロビーインターホン装置７によって呼び出されたときにだけ接続されるようにインターホン親機制御部１４が開閉制御している。
【００３６】
ロビーインターホン装置７は、マイクロホン並びにスピーカ、マイクロホンの出力を増幅するマイクロホンアンプ、スピーカへの入力を増幅するスピーカアンプを有する音声入出力部７０と、来訪者を撮像する撮像部７１と、住戸番号を指定するための番号キー並びに呼出釦（図示せず）を有する。そして操作入力を受け付ける操作入力受付部７２と、制御線Ｌｙを介して制御信号を送受信する制御信号送受信部７３と、ＣＰＵを主構成要素とし各部の制御を行うロビーインターホン制御部７４とを具備している。ロビーインターホン制御部７４は、撮像部７１から出力する映像信号を変調して音声入出力部７０から出力する音声信号と周波数分割多重するとともに通信線Ｌｘを介してインターホン親機１から伝送されてくる音声信号を分離する機能を有している。ここで、インターホン親機１のインターホン親機制御部１４には個別にアドレス（住戸番号）が設定されており、番号キーが操作されて操作入力受付部７２で住戸番号の入力が受け付けられると、ロビーインターホン制御部７４が入力された住戸番号を指定する制御信号（呼出コマンド）を生成し、生成した制御信号を制御信号送受信部７３から制御線Ｌｙを介して全てのインターホン親機１に送信する。なお、音声入出力部７０が、各々エコーキャンセラ若しくは音声スイッチの少なくとも何れか一方を具備すれば、ロビーインターホン装置７で拡声通話（ハンズフリー通話）を行うことができる。
【００３７】
一方、インターホン親機１のインターホン親機制御部１４は、制御信号に含まれる住戸番号が自己の住戸番号であれば住戸別線Ｌ２の通信線Ｌｘを接続し、ロビーインターホン装置７の撮像部７１において撮像され且つ通信線Ｌｘを介して伝送される来訪者の映像をモニタ部１１に表示させるとともに、音声入出力部１２のスピーカから呼出音を鳴動する。そして、呼出音に応じて家人が操作入力受付部１３の応答釦を押操作すれば、ロビーインターホン装置７と選択されたインターホン親機１との間でのみ通話可能にすることができるとともに、選択されたインターホン親機１でのみ撮像部７１で撮像された来訪者をモニタ部１１に表示することが可能になる。
【００３８】
次に、ロビーインターホン装置７と携帯電話端末３との通話に関する動作を説明する。
【００３９】
ロビーインターホン装置７から制御線Ｌｙを介して送信される制御信号（呼出コマンド）を制御信号送受信部１７で受信すると、インターホン親機１のインターホン親機制御部１４が無線インタフェース（Ｉ／Ｆ）部 １５より携帯電話端末３に対して呼出通知を行うとともに音声入出力部１２のスピーカから呼出音を鳴動させる。携帯電話端末３では、インターホン親機１から送信された呼出通知を第２無線部３３で受信すると端末制御部３６がスピーカ３１から呼出音を鳴動させる。そして、呼出音を聞いた家人が携帯電話端末３の操作入力受付部３５に設けられた応答釦を押操作すれば、端末制御部３６が第２無線部３３よりインターホン親機１に対して応答通知を行う。インターホン親機１では、携帯電話端末３から送信された応答通知を無線インタフェース（Ｉ／Ｆ）部 １５で受信すると、インターホン親機制御部１４が無線インタフェース（Ｉ／Ｆ）部 １５より携帯電話端末３に対して通話許可通知を行い、さらに音声入出力部１２のスピーカから鳴動させていた呼出音を停止する。携帯電話端末３では、インターホン親機１から送信された通話許可通知を第２無線部３３で受信すると端末制御部３６がスピーカ３１から鳴動させていた呼出音を停止する。そして、ロビーインターホン装置７からインターホン親機１に伝送された映像と音声（送話音声）がインターホン親機制御部１４で各々映像データと音声データに変換されて無線インタフェース（Ｉ／Ｆ）部 １５より携帯電話端末３へ送信される。携帯電話端末３においては、インターホン親機１から送信された映像データと音声データを第２無線部３３で受信すると端末制御部３６が映像データから元の映像を再構成してモニタ部３４に表示させるとともに音声データをアナログの音声信号に変換してスピーカ３１から音声（受話音声）を鳴動させる。また、マイクロホン３０から入力した音声（送話音声）が端末制御部３６で音声データに変換されて第２無線部３３よりインターホン親機１へ送信される。インターホン親機１においては、携帯電話端末３から送信された音声データを無線インタフェース（Ｉ／Ｆ）部 １５で受信するとインターホン親機制御部１４が音声データをアナログの音声信号に変換して多重分離処理部１６よりロビーインターホン装置７に送信し、ロビーインターホン装置７の音声入出力部７０のスピーカから音声（受話音声）が鳴動されてロビーインターホン装置７と携帯電話端末３との間で通話が可能となる。但し、インターホン親機１を介した携帯電話端末３とロビーインターホン装置７との間の通話並びに映像伝送は、携帯電話端末３で応答釦が押操作されてから所定時間が経過するか若しくは再度応答釦が押操作されたときに終了する。
【００４０】
なお、説明は省略するが、本実施形態においても各住戸に増設インターホン親機４を設置して増設インターホン親機４とロビーインターホン装置７との間で通話可能である。また、実施形態２と同様に無線インタフェース手段（無線通信装置５）をインターホン親機１と別体に構成したり、さらにはネットワーク通信部５２のみを具備する通信装置と、無線インタフェース（Ｉ／Ｆ）部 を具備する無線装置とに分割するとともに通信装置を介して無線装置をインターホン親機１に接続する構成としても構わない。なお、無線インタフェース（Ｉ／Ｆ）部 を、インターホン親機１の横に並設可能な薄型のパネル形状のユニットとして構成すれば、インターホン親機１の美観を損ねることもなく、しかも、容易に後付が可能になるから使い勝手が向上するという利点もある。
【産業上の利用可能性】
【００４１】
以上のように、本発明は、ドアホン子器との通話に関する使い勝手を向上する。
【符号の説明】
【００４２】
１  インターホン親機
２  ドアホン子器
３  携帯電話端末
１５  無線インタフェース（Ｉ／Ｆ）部
３２  第１無線部
３３  第２無線部
【図１】
2014112963.tif 000003
【図２】
2014112963.tif 000004
【図３】
2014112963.tif 000005
【図４】
2014112963.tif 000006
【図５】
2014112963.tif 000007